(57)【要約】      （修正有）【課題】ＬＥＤの発熱を極力抑えることが可能な発光ユニット又は照明装置を提供する。【解決手段】ＬＥＤ２１を用いた発光ユニットＡは、複数のＬＥＤが直列接続してなる発光手段２と、前記発光手段に応じた電圧及び電流を供給するチャージ／ディスチャージ式の供給回路１と、からなる。前記供給回路を長尺上の基板に形成し、前記発光手段を構成するＬＥＤを前記基板上に間隔を設けて配置することで、既存の蛍光管に代替することが可能となる。【選択図】図１
0003167515.tif 000002
【実用新案登録請求の範囲】
【請求項１】
ＬＥＤを用いた発光ユニットであって、
複数のＬＥＤが直列接続してなる発光手段と、
前記発光手段に応じた電圧及び電流を供給するチャージ／ディスチャージ式の供給回路と、
からなることを特徴とする、発光ユニット。
【請求項２】
前記供給回路を長尺状の基板に形成し、前記発光手段を構成するＬＥＤを前記基板上に間隔を設けて配置してなる、請求項１に記載の発光ユニット。
【請求項３】
請求項２に記載の発光ユニットを、蛍光管と同形状の管材に収納して、該中空管内部を完全に閉塞してなる、照明装置。
【請求項４】
請求項２に記載の発光ユニットを、筒材に収納し、前記筒材の両端を絶縁材で被覆することで筒材内部を閉塞してなる、照明装置。
【考案の詳細な説明】
【技術分野】
【０００１】
本考案はＬＥＤ式発光ユニット及び照明装置に関する。
【背景技術】
【０００２】
ＬＥＤ等を用いた蛍光灯型の照明装置における従来の点灯方式は、ＡＣ−ＤＣコンバータを用いた、いわゆるスイッチング方式（定電流型）のものが広く知られている。
【考案の概要】
【考案が解決しようとする課題】
【０００３】
従来の方式によれば、最大定格での使用が前提となるため、発熱量も必然時に多くなり、また電源設備の定格分しか電流を流せないため非効率的であった。
また、ＬＥＤを並列に接続するため、ＬＥＤの増加にあわせて、回路全体に流す電流も増加させる必要が生じる。
【０００４】
また、従来市場に出ているＬＥＤ蛍光管並びにＬＥＤ電球はＬＥＤの発熱を抑えるためヒートシンクや放熱口を設けてあることが一般的である。
したがって、ＬＥＤの発熱を抑えることができれば、ヒートシンクの設置分だけスペースを節約したり、前記放熱口を設けないことで埃の侵入等による故障を回避することが期待できる。
【課題を解決するための手段】
【０００５】
上記課題を解決すべくなされた本願の第１考案は、ＬＥＤを用いた発光ユニットであって、複数のＬＥＤが直列接続してなる発光手段と、前記発光手段に応じた電圧及び電流を供給するチャージ／ディスチャージ式の供給回路と、からなることを特徴とする、発光ユニットを提供するものである。
また、本願の第２考案は、前記供給回路を長尺状の基板に形成し、前記発光手段を構成するＬＥＤを、前記基板上に間隔を設けて配置してなる、前記第１考案に記載の発光ユニットを提供するものである。
また、本願の第３考案は、前記第２考案に記載の発光ユニットを蛍光管と同形状の管材に収納して、該管材の内部を完全に閉塞してなる、照明装置を提供するものである。
また、本願の第４考案は、前記第２考案に記載の発光ユニットを、筒材に収納し、前記筒材の両端を絶縁材で被覆することで筒材内部を閉塞してなる、照明装置を提供するものである。
【考案の効果】
【０００６】
本発明によれば、以下の効果のうち、少なくとも何れか一つを奏する。
（１）ＬＥＤの点灯に必要な分だけ、電圧及び電流を供給できる。
（２）ＬＥＤの数に応じて無理のない電圧及び電流供給が可能であるため、発熱を極力抑えることが出来る。
（３）発熱対策としてヒートシンクを設ける必要が無い為、装置全体の容量を抑え、低コスト化に寄与する。
（４）発熱対策として放熱口を設ける必要が無い為、埃の侵入等を避け、安全性の向上に寄与する。
【図面の簡単な説明】
【０００７】
【図１】本考案の発光ユニットの機能ブロック図である。
【図２】本考案の照明装置の第１実施例を示す図である。
【図３】本考案の照明装置の第２実施例を示す図である。
【図４】本考案の照明装置の第３実施例を示す図である。
【考案を実施するための形態】
【０００８】
以下、図面を参照しながら、本考案の実施例について説明する。
【０００９】
＜１＞構成
本考案に係る発光ユニットは、複数のＬＥＤが直列接続してなる発光手段と、前記発光手段に応じた電圧及び電流を供給するチャージ／ディスチャージ式の供給回路と、からなることを前提とする。
以下、各部材について図１を参照しながら説明する。
【００１０】
＜２＞回路
供給回路１は、互いに並列接続したセラミックコンデンサ１１及び第１の抵抗素子１２と、前記セラミックコンデンサ１１及び第１の抵抗素子１２の一端に接続する４端子型の整流素子１３と、一端が前記整流素子に接続する第２の抵抗素子１４とからなる。
前記供給回路１を構成する各部材は、用いるＬＥＤの特性や設置個数に応じて適宜選定することができる。
【００１１】
発光手段２は、直列に接続した複数のＬＥＤ２１からなり、両端を前記整流素子１３にそれぞれ接続して構成する。
【実施例１】
【００１２】
図２は、照明装置の第１実施例を示す図である。
本実施例に係る照明装置は、供給回路を長尺状の基板上に構築し、前記複数のＬＥＤを間隔を設けて配置した発光ユニットをそのまま流用したものである。
電源は、前記基板に取り付けたＡＣケーブルなどから給電する。
本実施例での各部材の仕様は以下の通りである。
（１）ＬＥＤ
・電力    ：１０［Ｗ］
・定格電圧：ＤＣ  ３．２［Ｖ］
・定格電流：２０［ｍＡ］
（２）基板    ：ガラスエポキシ製
【００１３】
本実施例によれば、極めて簡易な構造でＬＥＤ型の照明装置を提供することができる。
【実施例２】
【００１４】
図３は、照明装置の第２実施例を示す図である。
本実施例に係る照明装置は、前記発光ユニットＡを中空の管材５内に収納して、該管材５の内部を閉塞したものである。
前記管材５は、既存の蛍光管と同形状のものとすることで、既存の蛍光管と代替可能な照明装置とすることができる。
【００１５】
本実施例によれば、従来の蛍光管からの交換が容易となるほか、内部に埃の侵入するおそれが無く、発熱も起こりにくい為、故障の可能性が極めて低く、さらなる長寿命化が期待できる。
【実施例３】
【００１６】
図４は、照明装置の第３実施例を示す図である。
本実施例に係る照明装置は、前記発光ユニットＡを筒材６内に収納し、前記筒材６の両端を、ゴムなどの絶縁材７で被覆することで筒材６を閉塞したものである。
【００１７】
本実施例によれば、既存の蛍光管とは異なる照明装置を提供することができる。また、内部に埃の侵入するおそれが無く、発熱も起こりにくい為、故障の可能性が極めて低く、さらなる長寿命化が期待できる。
【符号の説明】
【００１８】
１    供給回路
１１  コンデンサ
１２  第１の抵抗素子
１３  整流素子
１４  第２の抵抗素子
２    発光手段
２１  ＬＥＤ
３    基板
４    ＡＣケーブル
５    管材
６    筒材
７    絶縁材
Ａ    発光ユニット
Ｂ    照明装置
【図１】
0003167515.tif 000003
【図２】
0003167515.tif 000004
【図３】
0003167515.tif 000005
【図４】
0003167515.tif 000006
【手続補正書】
【提出日】平成23年2月16日(2011.2.16)
【手続補正１】
【補正対象書類名】図面
【補正対象項目名】全図
【補正方法】変更
【補正の内容】
【図１】
0003167515.tif 000007
【図２】
0003167515.tif 000008
【図３】
0003167515.tif 000009
【図４】
0003167515.tif 000010